(57)【特許請求の範囲】
【請求項１】
回転駆動される主板と、該主板の外周に、周方向に所定の間隔を保ち、かつ主板側端面を開放させた状態で並設された多数枚の羽根と、該多数枚の羽根の主板側端部の外周面に設けられたリング部材と、上記主板の背面側に設けられたケーシング後板とを備えてなる遠心送風機であって、上記ケーシング後板には、上記主板側に開放され、上記リング部材の外周を包設する円形凹部が設けられていることを特徴とする遠心送風機。
【請求項２】
回転駆動される主板に対してその周方向に所定間隔で多数の羽根を、その基端側端面を開放させた状態で立設配置するとともに、該羽根の基端側の外周面に環状リング部材を設けてなる羽根車を備えた遠心送風機において、上記主板の背面に対向させてケーシング後板が配置されるとともに、該ケーシング後板には、上記主板側に開放され且つ上記環状リング部材の外周部を包設する円形凹部と、該円形凹部の開放側の外周縁部に連続して径方向外側へ延出する側延部が設けられていることを特徴とする遠心送風機。
【請求項３】
上記円形凹部は、上記ケーシング後板の板厚内に凹んで設けられた円形の凹溝部により形成されていることを特徴とする請求項１又は２記載の遠心送風機。
【請求項４】
上記円形凹部は、上記ケーシング後板の主板側内側面から主板側方向に立設された環状の筒状壁により形成されていることを特徴とする請求項１記載の遠心送風機。
【請求項５】
上記ケーシング後板の上記側延部の表面と上記主板の内側面が、上記羽根車の軸方向において略同一位置に位置するように設定されていることを特徴とする請求項２又は３記載の遠心送風機。
【請求項６】
上記羽根車は、上記羽根の先端側端面にシュラウドが設けられた構成であることを特徴とする請求項１，２，３，４又は５記載の遠心送風機。
【請求項７】
上記羽根車は、上記羽根の先端側端面にシュラウドが設けられていない構成であることを特徴とする請求項１，２，３，４又は５記載の遠心送風機。
【請求項８】
空気吸込口と空気吹出口とを備えたケーシング内の上記空気吸込口から上記空気吹出口に至る通風路に、熱交換器と送風機とを前後して配置してなる空気調和機であって、送風機として請求項１，２，３，４，５，６又は７記載の遠心送風機を採用して構成されていることを特徴とする空気調和機。
【発明の詳細な説明】
【技術分野】
【０００１】
本願発明は、遠心送風機、特に扁平化が要求される天井埋込型の空気調和機に適用するに好適な遠心送風機、及びこれを備えて構成される空気調和機に関するものである。
【背景技術】
【０００２】
近年、空気調和機、特に天井埋込型の空気調和機に適用される遠心送風機においては、その偏平化の要請が強く、これに応えるものとして、図２２に示す遠心送風機のように、羽根幅の小さい羽根５６を備えたものが提案されている（特許文献１の図１０、特許文献２の図７を参照）。
【０００３】
この遠心送風機は、主板５４の外周部に多数枚の羽根５６を周方向に所定間隔で立設配置するとともに、該各羽根５６の反主板側の端面上にシュラウド５５を取付けて構成される羽根車５３を、その主板５４を平板状のケーシング後板５１に近接対向させるとともに、上記シュラウド５５をケーシング前板５２のベルマウス５２ａで構成される空気吸込口６１に対向させた状態で配置して構成され、上記空気吸込口６１から吸込んだ空気を、図示の流線Ａ１で示す主流流れのように、上記羽根車５３の外周面に開口する空気吹出口６２から吹出すようになっている。
【０００４】
このように、主板５４が羽根５６の外周まで延設された構造の遠心送風機にあっては、主流流れＡ１が上記主板５４に沿って流れることで、該主板５４の表面に境界層が発達し、主流流れＡ１の流路幅が減少し、送風性能が低下することになる。係る問題は、偏平化に伴って羽根５６の幅寸法を小さくした構造をもつ遠心送風機においてより顕著である。
【０００５】
このような事情を背景に、例えば図２３に示すように、羽根５６の基端側端面（主板側端面）５６ａを開放させて主板５４の表面における境界層の影響を排除するとともに、該羽根５６の基端側の外周部に補強用のリング部材６４を設けて補強してなる羽根車５３を備えた遠心送風機が提案されている（特許文献１の図３を参照）。
【０００６】
【特許文献１】特開２００４−３０８４４２号公報
【特許文献２】特開２００６−３２２４４２号公報
【発明の開示】
【発明が解決しようとする課題】
【０００７】
ところが、図２３に示す構成の遠心送風機においては、主板５４の表面における境界層の影響は排除できるものの、羽根５６の基端側端面が開口していることから、空気吹出口６２から吹出される主流流れＡ１の一部が上記リング部材６３の表面のコアンダ効果によって該リング部材６４の外側からケーシング後板５１側に回り込む逆流流れＡ２を生じる。
【０００８】
この場合、上記羽根５６の基端側端面が広く開口しているので、逆流流れＡ２が上記羽根車５３の中心側へ向けてケーシング後板５１に沿って深く流入し、上記主板５４側に開放された上記羽根５６の基端側端面５６ａの広い範囲から上記主板５４の内側面５４ａ側へ再流入し、これが、翼間を流れる主流流れＡ１と干渉してその流れを乱し、結果的に送風騒音が増大することになり、主板５４の表面における境界層の影響を排除した利益が減殺される。
【０００９】
そこで、本願発明では、逆流流れによる境界層の抑制効果を維持しつつ、しかも騒音特性の改善が図られるようにした遠心送風機、及びこれを備えた空気調和機を提供することを目的とするものである。
【課題を解決するための手段】
【００１０】
本願発明では、上述の課題を解決するための具体的手段として、次のような構成を採用している。
【００１１】
（ａ）  第１の発明
本願の第１の発明では、回転駆動される主板と、該主板の外周に、周方向に所定の間隔を保ち、かつ主板側端面を開放させた状態で並設された多数枚の羽根と、該多数枚の羽根の主板側端部の外周面に設けられたリング部材と、上記主板の背面側に設けられたケーシング後板とを備えてなる遠心送風機であって、上記ケーシング後板には、上記主板側に開放され、上記リング部材の外周を包設する円形凹部が設けられていることを特徴としている。
【００１２】
（ｂ）  第２の発明
本願の第２の発明では、回転駆動される主板に対してその周方向に所定間隔で多数の羽根を、その基端側端面を開放させた状態で立設配置するとともに、該羽根の基端側の外周面に環状リング部材を設けてなる羽根車を備えた遠心送風機において、上記主板の背面に対向させてケーシング後板が配置されるとともに、該ケーシング後板には、上記主板側に開放され且つ上記環状リング部材の外周部を包設する円形凹部と、該円形凹部の開放側の外周縁部に連続して径方向外側へ延出する側延部が設けられていることを特徴としている。
【００１３】
（ｃ）  第３の発明
本願の第３の発明では、上記第１又は第２の発明に係る遠心送風機において、上記円形凹部は、上記ケーシング後板の板厚内に凹んで設けられた円形の凹溝部により形成されていることを特徴としている。
【００１４】
（ｄ）  第４の発明
本願の第４の発明では、上記第１の発明に係る遠心送風機において、上記円形凹部は、上記ケーシング後板の主板側内側面から主板側方向に立設された環状の筒状壁により形成されていることを特徴としている。
【００１５】
（ｅ）  第５の発明
本願の第５の発明では、上記第２又は第３の発明に係る遠心送風機において、上記ケーシング後板の上記側延部の表面と上記主板の内側面が、上記羽根車の軸方向において略同一位置に位置するように設定されていることを特徴としている。
【００１６】
（ｆ）  第６の発明
本願の第６の発明では、上記第１，第２、第３、第４又は第５の発明に係る遠心送風機において、上記羽根車は、上記羽根の先端側端面にシュラウドが設けられた構成であることを特徴としている。
【００１７】
（ｇ）  第７の発明
本願の第７の発明では、上記第１，第２，第３，第４又は第５の発明に係る遠心送風機において、上記羽根車は、上記羽根の先端側端面にシュラウドが設けられていない構成であることを特徴としている。
【００１８】
（ｈ）  第８の発明
本願の第８の発明では、空気吸込口と空気吹出口とを備えたケーシング内の上記空気吸込口から上記空気吹出口に至る通風路に、熱交換器と送風機を前後に配置してなる空気調和機であって、送風機として、上記第１，第２，第３，第４、第５，第６又は第７の発明に係る遠心送風機を採用して構成されていることを特徴としている。
【発明の効果】
【００１９】
上記本願の第１〜第８の発明では、それぞれ次のような効果が得られる。
【００２０】
（ａ）  第１の発明
本願の第１の発明に係る遠心送風機によれば、回転駆動される主板と、該主板の外周に、周方向に所定の間隔を保ち、かつ主板側端面を開放させた状態で並設された多数枚の羽根と、該多数枚の羽根の主板側端部の外周面に設けられたリング部材と、上記主板の背面側に設けられたケーシング後板とを備えてなる遠心送風機であって、上記ケーシング後板には、上記主板側に開放され、上記リング部材の外周を包設する円形凹部が設けられている。
【００２１】
したがって、上記リング部材の外表面のコアンダ効果により、上記リング部材の裏面側へ回り込んで上記羽根の開放端側から翼間へ再流入する逆流流れは、上記リング部材の外側を包設する上記円形凹部の内周壁面によって上記リング部材の外表面形状に沿うように偏向作用を受け、この結果、上記コアンダ効果と上記偏向作用との相乗的な働きによって、上記逆流流れは、上記羽根車の中心側へ大きく流れることなく、上記リング部材の周囲の狭い範囲内で循環する循環流となり、該逆流流れが主流流れと干渉してその流れを乱すのが可及的に抑制される。
【００２２】
また、上記ケーシング後板の上記円形凹部によって上記リング部材の外周側を包設した場合、そのようにしないものに比して、上記リング部材の外周側へ流入する空気の通路面積が絞られ、それだけ逆流流れの流量そのものが低減され、該逆流流れが主流流れと干渉してその流れを乱す現象が可及的に抑制される。
【００２３】
これら２つの作用の相乗効果として、上述した主流流れの乱れに起因する騒音が効果的に低減され、可及的に静粛性に優れた遠心送風機を提供することができる。
【００２４】
（ｂ）  第２の発明
本願の第２の発明に係る遠心送風機によれば、回転駆動される主板に対してその周方向に所定間隔で多数の羽根を、その基端側端面を開放させた状態で立設配置するとともに、該羽根の基端側の外周面に環状リング部材を設けてなる羽根車を備えた遠心送風機において、上記主板の背面に対向させてケーシング後板が配置されるとともに、該ケーシング後板には、上記主板側に開放され且つ上記環状リング部材の外周部を包設する円形凹部と、該円形凹部の開放側の外周縁部に連続して径方向外側へ延出する側延部が設けられている。
【００２５】
したがって、上記リング部材の外表面のコアンダ効果により、上記リング部材の裏面側へ回り込んで上記羽根の開放端側から翼間へ再流入する逆流流れは、上記リング部材の外側を包設する上記円形凹部の内周壁面によって上記リング部材の外表面形状に沿うように偏向作用を受け、この結果、上記コアンダ効果と上記偏向作用との相乗的な働きによって、上記逆流流れは、上記羽根車の中心側へ大きく流れることなく、上記リング部材の周囲の狭い範囲内で循環する循環流となり、該逆流流れが主流流れと干渉してその流れを乱すのが可及的に抑制される。
【００２６】
また、上記ケーシング後板の上記円形凹部によって上記リング部材の外周側を包設した場合、そのようにしないものに比して、上記リング部材の外周側へ流入する空気の通路面積が絞られ、それだけ逆流流れの流量そのものが低減され、該逆流流れが主流流れと干渉してその流れを乱す現象が可及的に抑制される。
【００２７】
これら２つの作用の相乗効果として、上述した主流流れの乱れに起因する騒音が効果的に低減され、可及的に静粛性に優れた遠心送風機を提供することができる。
【００２８】
（ｃ）  第３の発明
本願の第３の発明に係る遠心送風機によれば、上記第１又は２の発明に係る遠心送風機において、上記円形凹部は、上記ケーシング後板の板厚内に凹んで設けられた円形の凹溝部により形成されている。
【００２９】
したがって、上記リング部材の外表面のコアンダ効果により、上記リング部材の裏面側へ回り込んで上記羽根の開放端側から翼間へ再流入する逆流流れは、上記リング部材の外側を包設するケーシング後板の板厚内に凹んで設けられた円形の凹溝部よりなる円形凹部の内周壁面によって、上記リング部材の外表面形状に沿うように偏向作用を受け、上記コアンダ効果と上記偏向作用との相乗的な働きによって、上記羽根車の中心側へ大きく流れることなく、上記リング部材の周囲の狭い範囲内で循環する循環流となり、該逆流流れが主流流れと干渉してその流れを乱すことが可及的に抑制される。
【００３０】
また、上記ケーシング後板の板厚内に凹んで設けられた上記円形凹部によって上記リング部材の外周側を包設した場合、そのようにしないものに比して、上記リング部材の外周側へ流入する空気の通路面積が絞られ、それだけ逆流流れの流量そのものが低減され、該逆流流れが主流流れと干渉してその流れを乱す現象のが可及的に抑制される。
【００３１】
これら２つの作用の相乗効果として、上述した主流流れの乱れに起因する騒音が効果的に低減され、可及的に静粛性に優れた遠心送風機を提供することができる。
【００３２】
（ｄ）  第４の発明
本願の第４の発明に係る遠心送風機によれば、上記第１の発明に係る遠心送風機において、上記円形凹部は、上記ケーシング後板の主板側内側面から主板側方向に立設された環状の筒状壁により形成されている。
【００３３】
したがって、上記リング部材の外表面のコアンダ効果により、上記リング部材の裏面側へ回り込んで羽根の開放端側から翼間へ再流入する逆流流れは、上記リング部材の外側を包設するケーシング後板の主板内側面側にあって主板方向に立設された所定の高さの環状の筒状壁により形成される円形凹部の内周壁面によって、上記リング部材の外表面形状に沿うように偏向作用を受け、上記コアンダ効果と上記偏向作用との相乗的な働きによって、上記羽根車の中心側へ大きく流れることなく、上記リング部材の周囲の狭い範囲内で循環する循環流となり、逆流流れが主流流れと干渉してその流れを乱すことが可及的に抑制される。
【００３４】
また、上記のようにケーシング後板の主板側内側面から主板側方向に立設された環状の筒状壁により形成された円形凹部によって上記リング部材の外周側を包設した場合、そのようにしないものに比して、上記リング部材の外周側へ流入する空気の通路面積が絞られ、それだけ逆流流れの流量そのものが低減され、当該逆流流れが主流流れと干渉してその流れを乱す現象が可及的に抑制される。
【００３５】
これら２つの作用の相乗効果として、上述した主流流れの乱れに起因する騒音が効果的に低減され、可及的に静粛性に優れた遠心送風機を提供することができる。
【００３６】
また、このように、上記円形凹部を、上記ケーシング後板の主板側内側面から主板側方向に立設された環状の筒状壁により形成すると、ケーシング後板の板厚を大きくする必要がなく、その分だけ空気吹出口の通路断面積を広くすることができ、大風量域での性能の向上が図られる。
【００３７】
（ｅ）  第５の発明
本願の第５の発明に係る遠心送風機によれば、上記第２又は第３の発明の遠心送風機において、上記ケーシング後板の上記側延部の表面と上記主板の内側面が、上記羽根車の軸方向において略同一位置に位置するように設定されている。
【００３８】
したがって、このような構成によれば、上記（ｂ）第２の発明に記載の効果に加えて、さらに以下のような特有の効果が得られる。
【００３９】
即ち、この発明の遠心送風機では、上記ケーシング後板の上記側延部の表面と上記主板の内側面を、上記羽根車の軸方向において略同一位置に位置するように設定しているので、これら両者の対向隙間を通って上記リング部材の周りを循環する逆流流れの流れ状態が、より円滑且つ安定したものとなり、騒音の抑制効果がより一層促進される。
【００４０】
（ｆ）  第６の発明
本願の第６の発明に係る遠心送風機によれば、上記第１，第２、第３、第４又は第５の発明に係る遠心送風機において、上記羽根車は、上記羽根の先端側端面にシュラウドが設けられている。
【００４１】
したがって、このような構成によれば、上記（ａ）第１の発明，（ｂ）第２の発明，（ｃ）第３の発明，（ｄ）第４の発明又は（ｅ）第５の発明に記載の効果に加えて、さらに以下のような特有の効果が得られる。
【００４２】
即ち、この発明の遠心送風機では、上記羽根車が、上記羽根の先端側端面にシュラウドが設けられた構成であっても、このシュラウドの存在に影響されることなく、リング部材周りを循環する逆流流れに基づく騒音低減効果が得られ、シュラウド付の羽根車を備えてなる遠心送風機においても、その低騒音化が図られる。
【００４３】
（ｇ）  第７の発明
本願の第７の発明に係る遠心送風機によれば、上記第１，第２，第３，第４又は第５の発明に係る遠心送風機において、上記羽根車は、上記羽根の先端側端面にシュラウドが設けられていない。
【００４４】
したがって、このような構成によれば、上記（ａ）第１の発明，（ｂ）第２の発明，（ｃ）第３の発明，（ｄ）第４の発明又は（ｅ）第５の発明に記載の効果に加えて、さらに以下のような特有の効果が得られる。
【００４５】
即ち、この発明の遠心送風機では、上記羽根車が、上記羽根の先端側端面にシュラウドが設けられていない構成であっても、このシュラウドの不存在に影響されることなく、リング部材周りを循環する逆流流れに基づく騒音低減効果が得られ、シュラウドレスの羽根車を備えてなる遠心送風機においても、その低騒音化が図られる。
【００４６】
（ｈ）  第８の発明
本願の第８の発明に係る空気調和機では、空気吸込口と空気吹出口とを備えたケーシング内の上記空気吸込口から上記空気吹出口に至る通風路に、熱交換器と送風機とを前後して配置してなる空気調和機であって、送風機として、上記第１、第２、第３、第４、第５、第６又は第７の発明に係る遠心送風機を採用して構成されている。
【００４７】
したがって、それら各遠心送風機の特性、即ち、上述した低騒音特性が生かされ、運転騒音の低い可及的に低い静粛性に優れた空気調和機を提供することができるようになる。
【発明を実施するための最良の形態】
【００４８】
以下、本願発明を、好適な実施形態に基づいて具体的に説明する。
【００４９】
＜Ｉ：第１の実施形態＞
先ず図１には、本願発明の第１の実施形態に係る遠心送風機１を示している。この遠心送風機１は、所定間隔をもって対向配置されたケーシング前板３とケーシング後板４との間に、次に述べる構成の羽根車２を収容して構成されている。
【００５０】
上記羽根車２は、図１及び図２に示すように、主板１１とシュラウド１２と多数の羽根１３、及びリング部材１６を備えて構成されている。なお、この実施形態では、一例として、これら各部材を樹脂成形により一体的に形成している。
【００５１】
上記主板１１は、所定径の円板体の中心部分を一方の側面側へ膨出させるとともに、この膨出部分にボス１５を設けて構成される。なお、この膨出部分の裏面側の空室部分は、後述するケーシング後板４に取付けられるモータ１４の配置スペースとなるものであって、その中心部分にはボス１５が設けられている。
【００５２】
上記主板１１の外周面１１ｂには、多数の羽根１３が、その内周側縁部１３ａの基端部１３ｃ寄り部分を該外周面１１ｂに連結させるとともに、該内周側縁部１３ａから外周縁部１３ｂに向けて回転方向後方側へ傾斜した状態で設けられている。
【００５３】
そして、この場合、これら各羽根１３の外周縁部１３ｂの基端部１３ｃ寄り部分は、略矩形の断面形状をもつリング部材１６によって周方向に順次連結されている。また、上記各羽根１３の先端側端面１３ｆの外周縁部１３ｂ寄り部位には、環状のシュラウド１２が一体的に形成されている。これらリング部材１６とシュラウド１２によって、上記各羽根１３が補強されており、該羽根１３の基端側端面１３ｅが開放された特有の構成でありながら、高い強度性能が確保されている。
【００５４】
なお、図３に示すように、上記羽根１３は、その基端側端面１３ｅが、上記主板１１の外側面１１ｃと面一となるように該主板１１に対する形成位置が設定されている。また、上記リング部材１６は、その一方の面１６ａが上記羽根１３の基端側端面１３ｅと略面一となるように該羽根１３に対する形成位置が設定されるとともに、その他方の面１６ｂが次述するケーシング後板４の側延部４１の表面と略面一となるように装置の高さ寸法が設定されている。
【００５５】
上記ケーシング前板３は、図１に示すように、板材で構成されるとともに、その中央部にはベルマウス５が形成され、該ベルマウス５によって空気吸込口６が構成されている。これに対して、上記ケーシング後板４は、図１〜図３に示すように、平板体で構成され、その中央部には一方（主板１１側）の側面上に開口して他方（外方側）の側面側へ向けて凹入し、且つ円形の周壁面４２ａとその内側に位置する底壁面４２ｂとを備えた円形凹部４２が設けられている。そして、この円形凹部４２より外側部分は、該円形凹部４２の開口縁、即ち、上記周壁面４２ａの縁部に連続して平面方向外方へ延出する側延部（空気吹出口方向への吹出通路壁面部）４１とされている。これらケーシング前板３とケーシング後板４でケーシングが構成される。
【００５６】
上記羽根車２を上記ケーシング前板３とケーシング後板４から成るケーシング内に組付けることで上記遠心送風機１が得られる。即ち、上記羽根車２は、その主板１１のボス１５に取付けられた上記モータ１４を上記ケーシング後板４に固定することで該ケーシング後板４側に取付けられる。また、上記ケーシング前板３は、そのベルマウス５部分を上記羽根車２の上記シュラウド１２の内周側に嵌入させた状態で、上記ケーシング後板４と固定される（図示省略）。
【００５７】
この上記羽根車２の上記ケーシング後板４側への組付け状態においては、図３に示すように、上記羽根車２の上記主板１１の外周部分が上記ケーシング後板４の円形凹部４２内に進入し、上記各羽根１３の基端部１３ｃ側の外周部及びここに取付けられた上記リング部材１６の外周側が上記円形凹部４２の周壁面４２ａによって包設されている。この場合、上記主板１１の内側面１１ａ及び上記リング部材１６の他方の側面１６ｂが、上記ケーシング後板４側の上記側延部４１の表面と略面一とされていることは既述の通りである。
【００５８】
そして、上記ケーシング後板４の上記円形凹部４２の内面と、上記羽根車２側の上記リング部材１６と主板１１の間には、上記側延部４１の表面から上記円形凹部４２の全周から底壁面４２ｂに向かって進入したのち、該底壁面４２ｂに沿って拡大する隙間４５が形成される。また、この隙間４５は、上記羽根１３の基端側端面１３ｅが上記主板１１側に開放されていることから、翼間を通って上記空気吹出口７側に連通している。
【００５９】
このように構成された上記遠心送風機１においては、上記モータ１４によって上記羽根車２が回転駆動されると、上記空気吸込口６から吸い込まれた空気は、上記各羽根１３によってエネルギーが付与され、主流流れＡ１として、上記羽根車２の外周側の空気吹出口７からその全周に向けて吹出される。
【００６０】
ここで、上記主流流れＡ１のうち、上記主板１１側を流れる流れの一部は、該リング部材１６の表面によるコアンダ効果によって該リング部材１６の外側から上記ケーシング後板４側に回り込んで逆流流れＡ２を生じるが、この場合、例えば、図１０に示す従来構造のように、上記ケーシング後板が単なる平板とされていると、該ケーシング後板に沿って逆流流れＡ２が上記羽根車２の中心側へ向けて広く流入し、上記主板１１側に開放された上記羽根１３の基端側端面１３ｅの広い範囲から上記主板１１の内側面１１ａ側へ再流入し、これが、翼間を流れる上記主流流れＡ１と干渉してその流れを乱し、結果的に送風騒音が増大することは既述の通りである。
【００６１】
ところが、この実施形態の遠心送風機１においては、上述のように、上記ケーシング後板４に上記円形凹部４２が設けられ、該円形凹部４２によって上記リング部材１６の外周側が包設されているため、上記リング部材１６の外表面のコアンダ効果によって上記隙間４５側へ流入する逆流流れＡ２は、該リング部材１６の外表面に対向する上記円形凹部４２の周壁面４２ａ及び底壁面４２ｂによって上記リング部材１６の外表面形状に沿うように偏向作用を受ける。この結果、上記コアンダ効果と上記偏向作用の相乗的な働きによって、上記逆流流れＡ２は、上記羽根車２の中心側へ大きく流れることなく該リング部材１６の周囲の狭い範囲内で循環する循環流となり、該逆流流れＡ２が主流流れＡ１と干渉してその流れを乱すのが可及的に抑制される。
【００６２】
また、上記ケーシング後板４の上記円形凹部４２によって上記リング部材１６の外周側を包設したことで、係る構造をもたない従来構造（図１９参照）に比して、上記リング部材１６の外周側へ流入する空気の通路面積が絞られ、それだけ逆流流れＡ２の流量そのものが低減され、該逆流流れＡ２が主流流れＡ１と干渉してその流れを乱すのが可及的に抑制される。
【００６３】
これら両者の相乗効果として、主流流れＡ１の乱れに起因する騒音が低減され、上記遠心送風機１の静粛運転が実現されることになる。
【００６４】
したがって、本願発明によると、軸方向に２分割の金型成形が可能な形状で、可及的に良好な騒音特性（比騒音レベル低）を有する遠心送風機を得ることができる。
【００６５】
なお、図２４には、図２２に示す従来の遠心送風機を従来構造（１）とし、図２３に示す従来の遠心送風機を従来構造（２）とし、さらに、図１〜図３に示す上記第１の実施形態に係る遠心送風機を本案構造として、これら各遠心送風機を運転し、その最低比騒音レベルを示している。この対比図から、本願構造の遠心送風機においては、各従来構造のものに比して、運転騒音が格段に低減されていることが確認される。
【００６６】
＜ＩＩ：第２の実施形態＞
次に図４及び図５には、本願発明の第２の実施形態に係る遠心送風機１を示している。この遠心送風機１は、上記第１の実施形態に係る遠心送風機１と基本構造を同じにするものであって、これと異なる点は、上記第１の実施形態の遠心送風機１では上記リング部材１６を略矩形の断面形状をもつように構成していたのに対して、この実施形態の遠心送風機１では、該リング部材１６の断面形状を略半球状とした点である。
【００６７】
このように、上記リング部材１６の断面形状を略半球状とした場合には、上記逆流流れＡ２の上記リング部材１６周りへの回り込みがより一層スムーズとなり、それだけコアンダ効果が促進され、上記第１の実施形態の遠心送風機１の場合よりもさらに高い静粛運転性が実現されるものである。
【００６８】
上記以外の構成及び作用効果は上記第１の実施形態の遠心送風機１の場合と同様であるので、図４及び図５の構成部材に、図１及び図３の構成部材に対応させて同一の符号を付した上で、該第１の実施形態における該当説明を援用し、ここでの説明を省略する。
【００６９】
＜ＩＩＩ：第３の実施形態＞
次に図６及び図７には、本願発明の第３の実施形態に係る遠心送風機１を示している。この遠心送風機１は、上記第１の実施形態に係る遠心送風機１と基本構造を同じにするものであって、これと異なる点は、上記羽根車２の構成にある。
【００７０】
即ち、第１の相違点は、上記第１の実施形態における遠心送風機１では、上記羽根１３を上記主板１１の外周面１１ｂに取付けていたのに対して、この実施形態の遠心送風機１では、上記主板１１の径寸法を拡大して、上記羽根１３の基端側端面１３ｅの略半分の位置まで延設させた点である。
【００７１】
このように構成すると、上記羽根１３の基端側端面１３ｅを主板１１側において開口させて逆流流れＡ２の循環性を高めることによる送風騒音の低減効果と、上記主板１１と各羽根１３との結合強度を高めることによる上記羽根車２の耐久性、強度上の信頼性の向上効果の両立が実現される。
【００７２】
第２の相違点は、上記第１の実施形態における上記羽根車２は、シュラウド１２を備えた構成（所謂、シュラウド付タイプ）であったのに対して、この実施形態の遠心送風機１は上記シュラウド１２を備えない構成（所謂、シュラウドレスタイプ）とした点である。
【００７３】
係る構成とすることで、シュラウドレスタイプの羽根車２を備えた遠心送風機１において、上記リング部材１６部分における逆流流れＡ２の循環性を高めて送風騒音の低減効果を得ることができ、それだけ本願発明の遠心送風機１への適応性が向上することになる。
【００７４】
第３の相違点は、羽根１３の補強用に、該羽根１３の先端部１３ｄの外周縁部１３ｂに補強リング１８を取付けた点である。
【００７５】
係る構成とすることで、シュラウドレスタイプの羽根車２を備えた遠心送風機１において、上記リング部材１６部分における逆流流れＡ２の循環性を高めることによる送風騒音の低減効果を確保しつつ、上記羽根車２の耐久性、強度上の信頼性を高めることができる。
【００７６】
なお、上記以外の構成及び作用効果は上記第１の実施形態の遠心送風機１の場合と同様であるので、図６及び図７の構成部材に、図１及び図３の構成部材に対応させて同一の符号を付した上で、第１の実施形態における該当説明を援用し、ここでの説明を省略する。
【００７７】
＜ＩＶ：第４の実施形態＞
図８には、本願発明の第４の実施形態として、上記第１の実施形態における遠心送風機１を空調空気用送風機として適用した空気調和機Ｚを示している。即ち、この空気調和機Ｚは天井埋込型空気調和機（室内機）であって、天井内に埋め込み配置されるケーシング２０と、該ケーシング２０の下面開口部分を閉塞するように室内側から取付けられる室内パネル２１で形成される機内空間２５内に、上記遠心送風機１をその空気吸込口６が上記閉回路２１の吸込口２２に対向するようにして配置するとともに、該遠心送風機１の空気吹出口７から上記室内パネル２１の吹出口２３に至る通風路を横切るようにして熱交換器２４を配置して構成される。
【００７８】
この空気調和機Ｚにおいては、上記遠心送風機１の運転によって、上記吸込口２２から吸い込んだ室内空気Ａ０１を、上記熱交換器２４において熱交換させて温風あるいは冷風の空調空気Ａ０２として上記吐出ライン２３から室内へ吹出すようになっている。
【００７９】
この空気調和機Ｚにおいては、これに適用された送風機が、上記第１の実施形態に係る遠心送風機１であることから、該遠心送風機１の特性、即ち、低騒音性が生かされ、運転騒音の低い静粛性に優れた空気調和機を提供できる。
【００８０】
なお、ここでは送風機として上記第１の実施形態の遠心送風機１を適用した例を示しているが、本願発明は係る構成に限定されるものではなく、上記第１〜第３の各実施形態に係る遠心送風機１の何れをも適用できるものである。
【００８１】
＜Ｖ：第５の実施形態＞
次に図９〜図１１には、本願発明の第５の実施形態に係る遠心送風機１の構成が示されている。
【００８２】
この実施の形態の遠心送風機１は、上記第１の実施形態に係る遠心送風機１と主たる構造を同一にするものであるが、上記第１の実施の形態の遠心送風機１が、ファンケーシング４の後板４１の板厚内に形成された円形の凹溝部によって、上記羽根車２の羽根１３の主板１１側外周に設けられた略矩形の断面形状をもつリング部材１６の外周を包設する所定の深さの円形凹部４２を形成しているのに対し、この第５の実施の形態の遠心送風機１では、例えば図９〜図１１に示すように、同ファンケーシング４の後板４１の内側面側において、上記羽根車２の主板１１側に開放され、かつ上記羽根車２の羽根１３の主板１１側外周に設けられたリング部材１６の外周を包設する所定の深さの円形凹部４２を、そのようなファンケーシング４の後板４１の板厚内に凹んだ円形の凹溝部によってではなく、同ファンケーシング４の後板４１の板厚外にあって主板１１側に突出して設けられた所定の高さの環状の筒状壁４３により形成したことを特徴としている。
【００８３】
このような構成の場合にも、上記第１の実施の形態の場合と同様に、リング部材１６外表面のコアンダ効果により、リング部材１６の裏面側へ回り込んで羽根１３，１３・・・の開放端側から翼間へ再流入する主板１１側の逆流流れＡ２は、該リング部材１６の外側を包設するように、ファンケーシング後板４１の板厚外に所定の高さ突出して設けられた環状の筒状壁４３内側の円形凹部４２の内周壁面４２ａによって、上記リング部材１６の外表面形状に沿うように偏向作用を受け、上記コアンダ効果と該偏向作用との相乗的な働きによって、羽根車２の中心側へ大きく流れることなく、上記リング部材１６の周囲の狭い範囲内でのみ循環する小さな径の循環流Ａ２となり、この逆流流れＡ２が主流流れＡ１と干渉してその流れを乱すのを可及的に抑制する。
【００８４】
また、上記のようにファンケーシング後板４１の板厚外に設けられた環状の筒状壁４３内側の円形凹部４２によって上記リング部材１６の外周側を包設した場合、そのようにしないものに比して、上記リング部材１６の外周側へ流入する空気の通路面積が絞られ、それだけ逆流流れの流量そのものが低減されるので、上記逆流流れＡ２が主流流れＡ１と干渉してその流れを乱す現象が、より有効に抑制される。
【００８５】
そして、これら２つの作用の相乗効果として、上述した主流流れＡ１の乱れに起因する送風騒音が効果的に低減され、可及的に静粛性に優れた遠心送風機を提供することができるようになる。
【００８６】
さらに、このような筒状壁４３によって円形凹部４２を形成した場合、上記実施の形態１〜４のようなケーシング後板４１の板厚内に円形の溝部を形成する場合に比べて、ケーシング後板４１の板厚を厚くする必要がないので、空気吹出口７の通路断面積を、その分だけ大きく確保することができ、大風量域での性能が向上する。
【００８７】
その他の構成及び作用効果は、上記第１の実施形態の遠心送風機１の場合と全く同様であるので、図９〜図１１の各構成部材を、上述した図１〜図３の各構成部材に対応させて同一の符号を付すことにより、同第１の実施形態における説明を援用し、その詳細な説明を省略する。
【００８８】
＜ＶＩ：第６の実施形態＞
次に図１２および図１３には、本願発明の第６の実施形態に係る遠心送風機１の構成が示されている。
【００８９】
この実施の形態の遠心送風機１は、上記第２の実施形態に係る遠心送風機１と主たる構造を同一にするものであるが、上記第２の実施の形態の遠心送風機１が、ファンケーシング４の後板４１の板厚内に形成された円形の凹溝部によって、上記羽根車２の羽根１３の主板１１側外周に設けられた略矩形の断面形状をもつリング部材１６の外周を包設する所定の深さの円形凹部４２を形成しているのに対し、この第６の実施の形態の遠心送風機１では、例えば図１２および図１３に示すように、同ファンケーシング４の後板４１の内側面側において、上記羽根車２の主板１１側に開放され、かつ上記羽根車２の羽根１３の主板１１側外周に設けられたリング部材１６の外周を包設する所定の深さの円形凹部４２が、そのようなファンケーシング４の後板４１の板厚内に凹んだ円形の凹溝部によってではなく、同ファンケーシング４の後板４１の板厚外に主板１１側に突出して設けられた所定の高さの環状の筒状壁４３により形成されていることを特徴としている。
【００９０】
このような構成の場合にも、上記第２の実施の形態の場合と同様に、リング部材１６外表面のコアンダ効果により、リング部材１６の裏面側へ回り込んで羽根１３，１３・・・の開放端側から翼間へ再流入する主板１１側の逆流流れＡ２は、リング部材１６の外側を包設するように、ファンケーシング後板４１の板厚外に所定の高さ突出して設けられた環状の筒状壁４３内側の円形凹部４２の内周壁面４２ａによって、上記リング部材１６の外表面形状に沿うように偏向作用を受け、上記コアンダ効果と該偏向作用との相乗的な働きによって、羽根車２の中心側へ大きく流れることなく、上記リング部材１６の周囲の狭い範囲内でのみ循環する小さな径の循環流Ａ２となり、この逆流流れＡ２が主流流れＡ１と干渉してその流れを乱すのを可及的に抑制する。
【００９１】
また、上記のようにファンケーシング後板４１の板厚外に設けられた環状の筒状壁４３内側の円形凹部４２によって上記リング部材１６の外周側を包設した場合、そのようにしないものに比して、上記リング部材１６の外周側へ流入する空気の通路面積が絞られ、それだけ逆流流れＡ２の流量そのものが低減されるので、上記逆流流れＡ２が主流流れＡ１と干渉してその流れを乱す現象が、より有効に抑制される。
【００９２】
そして、これら２つの作用の相乗効果として、上述した主流流れＡ１の乱れに起因する送風騒音が効果的に低減され、可及的に静粛性に優れた遠心送風機を提供することができるようになる。
【００９３】
さらに、このような筒状壁４３によって円形凹部４２を形成した場合、上記実施の形態１〜４のようなケーシング後板４１の板厚内に円形の溝部を形成する場合に比べて、ケーシング後板４１の板厚を厚くする必要がないので、空気吹出口７の通路断面積を、その分だけ大きく確保することができ、大風量域での性能が向上する。
【００９４】
その他の構成及び作用効果は、上記第２の実施形態の遠心送風機１の場合と全く同様であるので、図１２及び図１３の各構成部材を、上述した図４および図５の各構成部材に対応させて同一の符号を付すことにより、同第２の実施形態における説明を援用し、その詳細な説明を省略する。
【００９５】
＜ＶＩＩ：第７の実施形態＞
次に図１４および図１５には、本願発明の第７の実施形態に係る遠心送風機１の構成が示されている。
【００９６】
この実施の形態の遠心送風機１は、上記第３の実施形態に係る遠心送風機１と主たる構造を同一にするものであるが、上記第３の実施の形態の遠心送風機１が、ファンケーシング４の後板４１の板厚内に形成された円形の凹溝部によって、上記羽根車２の羽根１３の主板１１側外周に設けられた略矩形の断面形状をもつリング部材１６の外周を包設する所定の深さの円形凹部４２を形成しているのに対し、この第５の実施の形態の遠心送風機１では、例えば図１４および図１５に示すように、同ファンケーシング４の後板４１の内側面側において、上記羽根車２の主板１１側に開放され、かつ上記羽根車２の羽根１３の主板１１側外周に設けられたリング部材１６の外周を包設する所定の深さの円形凹部４２が、そのようなファンケーシング４の後板４１の板厚内に凹んだ円形の凹溝部によってではなく、同ファンケーシング４の後板４１の板厚外に主板１１側に突出して設けられた所定の高さの環状の筒状壁４３により形成されていることを特徴としている。
【００９７】
このような構成の場合にも、上記第３の実施の形態の場合と同様に、リング部材１６外表面のコアンダ効果により、リング部材１６の裏面側へ回り込んで羽根１３，１３・・・の開放端側から翼間へ再流入する主板１１側の逆流流れＡ２は、リング部材１６の外側を包設するように、ファンケーシング後板４１の板厚外に所定の高さ突出して設けられた環状の筒状壁４３内側の円形凹部４２の内周壁面４２ａによって、上記リング部材１６の外表面形状に沿うように偏向作用を受け、上記コアンダ効果と該偏向作用との相乗的な働きによって、羽根車２の中心側へ大きく流れることなく、上記リング部材１６の周囲の狭い範囲内でのみ循環する小さな径の循環流Ａ２となり、この逆流流れＡ２が主流流れＡ１と干渉してその流れを乱すのを、より有効に抑制する。
【００９８】
また、上記のようにファンケーシング後板４１の板厚外に設けられた環状の筒状壁４３内側の円形凹部４２によって上記リング部材１６の外周側を包設した場合、そのようにしないものに比して、上記リング部材１６の外周側へ流入する空気の通路面積が絞られ、それだけ逆流流れの流量そのものが低減されるので、上記逆流流れＡ２が主流流れＡ１と干渉してその流れを乱す現象が可及的に抑制される。
【００９９】
そして、これら２つの作用の相乗効果として、上述した主流流れＡ１の乱れに起因する送風騒音が効果的に低減され、可及的に静粛性に優れた遠心送風機を提供することができるようになる。
【０１００】
さらに、このような筒状壁４３によって円形凹部４２を形成した場合、上記実施の形態１〜４のようなケーシング後板４１の板厚内に円形の溝部を形成する場合に比べて、ケーシング後板４１の板厚を厚くする必要がないので、空気吹出口７の通路断面積を、その分だけ大きく確保することができ、大風量域での性能が向上する。
【０１０１】
その他の構成及び作用効果は、上記第３の実施形態の遠心送風機１の場合と全く同様であるので、図１４及び図１５の各構成部材を、上述した図６および図７の各構成部材に対応させて同一の符号を付すことにより、同第３の実施形態における説明を援用し、その詳細な説明を省略する。
【０１０２】
＜ＶＩＩＩ：第８の実施形態＞
次に図１６および図１７には、本願発明の第８の実施形態に係る遠心送風機１の構成が示されている。
【０１０３】
この実施の形態の遠心送風機１は、上記第５の実施形態に係る遠心送風機１と主たる構造を同一にするものであるが、上記第５の実施形態のものが、上記ファンケーシング後板４１の内側面側に設けられた環状の筒状壁４３の外周壁面が軸方向の全体に亘って等径のものであるのに対し、この実施形態の遠心送風機１では、例えば図１６、図１７に示すように、同筒状壁４３の外径が軸方向の全体に亘って等径のものではなく、主板１１側からファンケーシング４の後板４１方向にかけて次第に径が拡大する傾斜壁面４３ａとし、壁部自体の断面形状を略Ｖ字形に形成したことを特徴としている。
【０１０４】
このように環状の筒状壁４３の外周壁面が主板１１側からファンケーシング４の後板４１方向にかけて次第に径が拡大する図１７のような傾斜壁面４３ａになっていると、上述したリング部材１６部分のみを循環する小さな径の循環流Ａ２により境界層が解消され、空気吹出口７側斜流遠心方向にスムーズに吹出されて行く主板１１側の主流Ａ１が、同図１７中に矢印で示すように、空気吹出口７方向に適切にガイドされ、後板４１の内側面側でも同空気吹出口７方向に可及的にスムーズに流れるようになる。
【０１０５】
その結果、騒音低減効果が、より一層向上する。
【０１０６】
さらに、このような筒状壁４３によって円形凹部４２を形成した場合、上記実施の形態１〜４のようなケーシング後板４１の板厚内に円形の溝部を形成する場合に比べて、ケーシング後板４１の板厚を厚くする必要がないので、空気吹出口７の通路断面積を、その分だけ大きく確保することができ、大風量域での性能が向上する。
【０１０７】
その他の構成及び作用効果は、上記第５の実施形態の遠心送風機１の場合と全く同様であるので、図１６、図１７の各構成部材を、上述した図９〜図１１の各構成部材に対応させて同一の符号を付すことにより、同第５の実施形態における説明を援用し、その詳細な説明を省略する。
【０１０８】
＜ＩＸ：第９の実施形態＞
次に図１８には、本願発明の第９の実施形態に係る遠心送風機１の構成が示されている。
【０１０９】
この実施の形態の遠心送風機１は、上記第６の実施形態に係る遠心送風機１と主たる構造を同一にするものであるが、上記第６の実施形態のものが、上記ファンケーシング後板４１の内側面側に設けられた環状の筒状壁４３の外周壁面が軸方向の全体に亘って等径のものであるのに対し、この実施形態の遠心送風機１では、例えば図１８に示すように、同筒状壁４３の外径が軸方向の全体に亘って等径のものではなく、主板１１側からファンケーシング４の後板４１方向にかけて次第に径が拡大する傾斜壁面４３ａとし、壁部自体の断面形状を略Ｖ字形に形成したことを特徴としている。
【０１１０】
このように環状の筒状壁４３の外周壁面が主板１１側からファンケーシング４の後板４１方向にかけて次第に径が拡大する図１８のような傾斜壁面４３ａになっていると、上述したリング部材１６部分のみを循環する小さな径の循環流Ａ２により境界層が解消され、空気吹出口７側斜流遠心方向にスムーズに吹出されて行く主板１１側の主流Ａ１が、同図１８中に矢印で示すように、空気吹出口７方向に適切にガイドされ、後板４１の内側面側でも同空気吹出口７方向に可及的にスムーズに流れるようになる。
【０１１１】
その結果、騒音低減効果が、より一層向上する。
【０１１２】
さらに、このような筒状壁４３によって円形凹部４２を形成した場合、上記実施の形態１〜４のようなケーシング後板４１の板厚内に円形の溝部を形成する場合に比べて、ケーシング後板４１の板厚を厚くする必要がないので、空気吹出口７の通路断面積を、その分だけ大きく確保することができ、大風量域での性能が向上する。
【０１１３】
その他の構成及び作用効果は、上記第６の実施形態の遠心送風機１の場合と全く同様であるので、図１８の各構成部材を、上述した図１２および図１３の各構成部材に対応させて同一の符号を付すことにより、同第６の実施形態における説明を援用し、その詳細な説明を省略する。
【０１１４】
＜Ｘ：第１０の実施形態＞
次に図１９には、本願発明の第１０の実施形態に係る遠心送風機１の構成が示されている。
【０１１５】
この実施の形態の遠心送風機１は、上記第７の実施形態に係る遠心送風機１と主たる構造を同一にするものであるが、上記第７の実施形態のものが、上記ファンケーシング後板４１の内側面側に設けられた環状の筒状壁４３の外周壁面が軸方向の全体に亘って等径のものであるのに対し、この実施形態の遠心送風機１では、例えば図１９に示すように、同筒状壁４３の外径が軸方向の全体に亘って等径のものではなく、主板１１側からファンケーシング４の後板４１方向にかけて次第に径が拡大する傾斜壁面４３ａとし、壁部自体の断面形状を略Ｖ字形に形成したことを特徴としている。
【０１１６】
このように環状の筒状壁４３の外周壁面が主板１１側からファンケーシング４の後板４１方向にかけて次第に径が拡大する図１９のような傾斜壁面４３ａになっていると、上述したリング部材１６部分のみを循環する小さな径の循環流Ａ２により境界層が解消され、空気吹出口７側斜流遠心方向にスムーズに吹出されて行く主板１１側の主流Ａ１が、同図１９中に矢印で示すように、空気吹出口７方向に適切にガイドされ、後板４１の内側面側でも同空気吹出口７方向に可及的にスムーズに流れるようになる。
【０１１７】
その結果、騒音低減効果が、より一層向上する。
【０１１８】
さらに、このような筒状壁４３によって円形凹部４２を形成した場合、上記実施の形態１〜４のようなケーシング後板４１の板厚内に円形の溝部を形成する場合に比べて、ケーシング後板４１の板厚を厚くする必要がないので、空気吹出口７の通路断面積を、その分だけ大きく確保することができ、大風量域での性能が向上する。
【０１１９】
その他の構成及び作用効果は、上記第７の実施形態の遠心送風機１の場合と全く同様であるので、図１９の各構成部材を、上述した図１４および図１５の各構成部材に対応させて同一の符号を付すことにより、同第７の実施形態における説明を援用し、その詳細な説明を省略する。
【０１２０】
＜ＸＩ：第１１の実施形態＞
次に図２０には、本願発明の第１１の実施形態に係る遠心送風機１の要部の構成が示されている。
【０１２１】
この実施の形態の遠心送風機１は、上記第５の実施形態に係る遠心送風機１と主たる構造を同一にするものであるが、上記第５の実施形態のものが、上記ファンケーシング後板４１の内側面側に設けられた環状の筒状壁４３の外周壁面が軸方向の全体に亘って等径のものであるのに対し、この実施形態の遠心送風機１では、例えば図２０に示すように、同筒状壁４３の外径が軸方向の全体に亘って等径のものではなく、主板１１側からファンケーシング４の後板４１方向にかけて次第に径が拡大する傾斜壁面４３ａとし、かつ壁部自体の断面形状を略台形に形成したことを特徴としている。
【０１２２】
このように環状の筒状壁４３の断面形状が台形で、その外周壁面が主板１１側からファンケーシング４の後板４１方向にかけて次第に径が拡大する図２０のような傾斜壁面４３ａになっている場合にも、上述したリング部材１６部分のみを循環する小さな径の循環流Ａ２により効果的に境界層が解消され、空気吹出口７側斜流遠心方向にスムーズに吹出されて行く主板１１側の主流Ａ１が、同図２０中に矢印で示すように、空気吹出口７方向に適切にガイドされ、後板４１の内側面側でも同空気吹出口７方向に可及的にスムーズに流れるようになる。
【０１２３】
その結果、騒音低減効果が、より一層向上する。
【０１２４】
さらに、このような筒状壁４３によって円形凹部４２を形成した場合、上記実施の形態１〜４のようなケーシング後板４１の板厚内に円形の溝部を形成する場合に比べて、ケーシング後板４１の板厚を厚くする必要がないので、空気吹出口７の通路断面積を、その分だけ大きく確保することができ、大風量域での性能が向上する。
【０１２５】
その他の構成及び作用効果は、上記第５の実施形態の遠心送風機１の場合と全く同様であるので、図２０の各構成部材を、上述した図９〜図１１の各構成部材に対応させて同一の符号を付すことにより、同第５の実施形態における説明を援用し、その詳細な説明を省略する。
【０１２６】
なお、このような主板１１側からファンケーシング４の後板４１側にかけて次第に外径が拡大する断面台形の環状の筒状壁４３の構成は、さらに上述した第６、第７の実施形態に係る遠心送風機１の環状の筒状壁４３に対して適用しても全く同様の作用・効果を得ることができる。
【０１２７】
＜ＸＩＩ：第１２の実施形態＞
次に図２１には、本願発明の第１２の実施形態として、上記第５の実施形態における遠心送風機１を空気調和機用の送風機に適用して構成した空気調和機Ｚを示している。
【０１２８】
即ち、この空気調和機Ｚは天井埋込型空気調和機（室内機）であって、天井内に埋め込み配置されるケーシング２０と、該ケーシング２０の下面開口部分を閉塞するように室内側から取付けられる室内パネル２１とで形成される機内空間２５内に、上記第５の実施の形態における遠心送風機１をその空気吸込口６が上記室内パネル２１の吸込口２２に対向するようにして配置するとともに、該遠心送風機１の空気吹出口７から上記室内パネル２１の吹出口２３に至る通風路を横切るようにして熱交換器２４を配置して構成されている。
【０１２９】
この空気調和機Ｚにおいては、上記遠心送風機１の運転によって、上記吸込口２２から吸い込んだ室内空気Ａ０１を、上記熱交換器２４において熱交換させて温風あるいは冷風の空調空気Ａ０２として上記吹出口２３から室内へ吹出すようになっている。
【０１３０】
この空気調和機Ｚにおいては、これに適用された送風機が、上記第５の実施形態に係る遠心送風機１であることから、該遠心送風機１の特性、即ち、その低騒音特性が生かされ、可及的に運転騒音の低い静粛性に優れた空気調和機を提供することができる。
【０１３１】
なお、ここでは送風機として上記第５の実施形態の遠心送風機１を適用した例を示しているが、本願発明は同第５の実施の形態に係る構成に限定されるものではなく、もちろん上記第５〜第１１の各実施形態に係る遠心送風機１の何れの構成をも任意に採用して同様の空気調和機を構成することができるものである。
【０１３２】
（比騒音レベルの測定）
以上の第５の実施の形態〜第１２の実施の形態の各遠心送風機の比騒音レベルを測定して見ると、それらの何れの場合にも、前記図２４の実施の形態１の比騒音レベルに優るとも劣らない低騒音特性を示した。
【０１３３】
したがって、これらの結果からも、本願発明によると、軸方向に２分割の金型成形が可能な形状で、可及的に良好な騒音特性（比騒音レベル低）を有する遠心送風機を得ることができることが、より明確になる。
【図面の簡単な説明】
【０１３４】
【図１】本願発明の第１の実施の形態に係る遠心送風機の全体断面図である。
【図２】図１に示した遠心送風機の要部分解斜視図である。
【図３】図１に示した遠心送風機の主板外周近傍の拡大断面図である。
【図４】本願発明の第２の実施の形態に係る遠心送風機の全体断面図である。
【図５】図４に示した遠心送風機の主板外周近傍の拡大断面図である。
【図６】本願発明の第３の実施の形態に係る遠心送風機の全体断面図である。
【図７】図６に示した遠心送風機の主板外周近傍の拡大断面図である。
【図８】本願発明の第４の実施形態に係る空気調和機の全体断面図である。
【図９】本願発明の第５の実施の形態に係る遠心送風機の全体断面図である。
【図１０】図９に示した遠心送風機の要部分会斜視図である。
【図１１】図９に示した遠心送風機の主板外周近傍の拡大断面図である。
【図１２】本願発明の第６の実施の形態に係る遠心送風機の全体断面図である。
【図１３】図１２に示した遠心送風機の主板外周近傍の拡大断面図である。
【図１４】本願発明の第７の実施の形態に係る遠心送風機の全体断面図である。
【図１５】図１４に示した遠心送風機の主板外周近傍の拡大断面図である。
【図１６】本願発明の第８の実施の形態に係る遠心送風機の全体断面図である。
【図１７】図１６に示した遠心送風機の主板外周近傍の拡大断面図である。
【図１８】本願発明の第９の実施の形態に係る遠心送風機の主板外周近傍の拡大断面図である。
【図１９】本願発明の第１０の実施の形態に係る遠心送風機の主板外周近傍の拡大断面図である。
【図２０】本願発明の第１１の実施の形態に係る遠心送風機の主板外周近傍の拡大断面図である。
【図２１】本願発明の第１２の実施の形態に係る空気調和機の全体断面図である。
【図２２】第１の従来構造に係る遠心送風機を示す全体断面図である。
【図２３】第２の従来構造に係る遠心送風機を示す全体断面図である。
【図２４】遠心送風機の比騒音レベルの対比説明図である。
【符号の説明】
【０１３５】
１      ・・・遠心送風機
２      ・・・羽根車
３      ・・・ケーシング前板
４      ・・・ケーシング後板
５      ・・・ベルマウス
６      ・・・空気吸込口
７      ・・・空気吹出口
１１    ・・・主板
１２    ・・・シュラウド
１３    ・・・羽根
１４    ・・・モータ
１５    ・・・ボス
１６    ・・・リング部材
１８    ・・・補強リング
２０    ・・・ケーシング
２１    ・・・室内パネル
２２    ・・・吸込口
２３    ・・・吹出口
２４    ・・・熱交換器
４１    ・・・側延部
４２    ・・・円形凹部
４３    ・・・環状の筒状壁
４３ａ  ・・・筒状壁外周の傾斜壁面
４５    ・・・隙間
Ｚ    ・・・空気調和機
【図１】
0005195276.tif 000002
【図２】
0005195276.tif 000003
【図３】
0005195276.tif 000004
【図４】
0005195276.tif 000005
【図５】
0005195276.tif 000006
【図６】
0005195276.tif 000007
【図７】
0005195276.tif 000008
【図８】
0005195276.tif 000009
【図９】
0005195276.tif 000010
【図１０】
0005195276.tif 000011
【図１１】
0005195276.tif 000012
【図１２】
0005195276.tif 000013
【図１３】
0005195276.tif 000014
【図１４】
0005195276.tif 000015
【図１５】
0005195276.tif 000016
【図１６】
0005195276.tif 000017
【図１７】
0005195276.tif 000018
【図１８】
0005195276.tif 000019
【図１９】
0005195276.tif 000020
【図２０】
0005195276.tif 000021
【図２１】
0005195276.tif 000022
【図２２】
0005195276.tif 000023
【図２３】
0005195276.tif 000024
【図２４】
0005195276.tif 000025